(57)【要約】  中央の透明な部分を備えたアイスケイブパネルと画像基板（１５）とを含むアイスケイブ画像システムのための画像保持システムにおいて、該画像保持システムは、中央の透明な部分の周りに間隔を置いて配置された複数の保持部分を含んでおり、各保持部分（２１）は磁性を有し、そしてアイスケイブパネルの中央の透明な部分に関して保持部分（２１）を取付けるための取付け部分（２０）を備えている、保持部分（２１）と、そして磁性を有するクランプ部材（２２）を含んでおり、各保持部分（２１）はアイスケイブパネルの中央の透明な部分に関して画像基板（１５）を配置し、そして画像基板（１５）は保持部材（２１）とクランプ部材（２２）の間の所定の位置にクランプされることを特徴とする画像保持システム。
2007530179.tif 000002
【特許請求の範囲】
【請求項１】
中央の透明な部分を備えたアイスケイブパネルと画像基板とを含むアイスケイブ画像システムのための画像保持システムにおいて、該画像保持システムは、
ｉ．中央の透明な部分の周りに間隔を置いて配置された複数の保持部分を有し、各保持部分は磁性を有し、そしてアイスケイブパネルの中央の透明な部分に関して保持部分を取付けるための取付部分を備えており、そして
ｉｉ．磁石を有するクランプ部材を含んでおり、
ここで各保持部分はアイスケイブパネルの中央の透明な部分に関して画像基板を配置し、そして画像基板は保持部分とクランプ部材との間の所定の位置の中でクランプされることを特徴とする前記画像保持システム。
【請求項２】
外部の不透明な部分および中央の透明な部分を備えたアイスケイブパネルと、アイスケイブパネルに隣接して保持されるために適応した交換可能な画像がプリントされた基板と、そして画像保持システムを含むアイスケイブ画像システムにおいて、該画像保持システムは、中央の透明な部分の周りに間隔をおいて配置された複数の保持部分を有し、各保持部分は磁性を有しており、そしてアイスケイブパネルの中央の透明な部分に関して保持部分を取付けるための取付け部分と磁性を有するクランプ部材を含んでおり、各保持部分はアイスケイブパネルの中央の透明な部分に関して画像基板を配置し、そして画像基板は保持部分とクランプ部材の間の所定の位置にクランプされることを特徴とする前記アイスケイブ画像システム。
【請求項３】
該保持部分は、該アイスケイブパネルの上へ直接装着されることを特徴とする請求項１に記載の画像保持システム。
【請求項４】
該保持部分は、中で該アイスケイブ画像が使用されるハウジングへ装着されることを特徴とする請求項１に記載の画像保持システム。
【請求項５】
該保持部分のそれぞれは、磁性を提供するために金属から作られていることを特徴とする請求項１に記載の画像保持システム。
【請求項６】
該保持部分は、ベース取付け部分および直立部分を備えたＬ字型形態を有することを特徴とする請求項１に記載の画像保持システム。
【請求項７】
該保持部分のベース取付け部分は磁性を有し、そして該直立部分は磁性的に中性であることを特徴とする請求項６に記載の画像保持システム。
【請求項８】
該ベース取付部分は、該アイスケイズパネルに関して保持手段をしっかりと固定するための接着手段のような固定手段が備えられていることを特徴とする請求項６に記載の画像保持システム。
【請求項９】
各保持部材は、その間に画像保持基板の縁がクランプされるクランプ部材を備え、各クランプ部材は磁石であることを特徴とする請求項１に記載の画像保持システム。
【請求項１０】
該クランプ部材は、該画像基板の取り換え手順の一部として取り除かれる時、該クランプ部材が失われないようにそれが対にされた保持部材へ取付けられることを特徴とする請求項９に記載の画像保持システム。
【発明の詳細な説明】
【技術分野】
【０００１】
本発明は画像保持システム、そして特に“アイスケイブ”として知られる自動販売機において使用される画像保持システムに関する。
【背景技術】
【０００２】
“アイスケイブ”画像システムは、自動販売機の中に画像を表示する場合に特別な応用を見い出す通常のシステムである。本発明は、通常のアイスケイブパネルの中の置き換え可能な画像位置取り、変更および保持方法が遭遇する問題に関する。
【０００３】
図１に見られるように、アイスケイブパネル１０は、通常、内表面上にそしてパネルの周縁に、プリントされたカラフルな縁取り画像１１を備えた透明なポリカーボネートパネルである。パネルの中央領域１２は、その上にプリントされた画像を備えた画像基板１３がアイスケイブパネル１０に関して固定され、そしてアイスケイブパネル１０の透明な中央領域１１と整列させることができるように透明な状態におかれる。その後プリントされた画像は画像基板１３の背後から照らされる。
【０００４】
交換可能なプリントされた画像基板１３の位置取り及び保持する通常のシステムは、モールド成形されたアクリル製のクリップ１４を使用する。クリップの配置および大きさは、パネルおよび画像基板１３が背後から照らされた時、それらがパネル１０の正面から見られないようにアイスケイブパネル１０の不透明部分の中に配置されなければならないから非常に重要である。
【０００５】
プリントされた画像基板１３には、プリントされた画像基板１３の縁から延びた複数のタブ部材１５が備えられる。
【０００６】
各保持クリップ１４の第１の端は平面の取付部分１８として形成され、そしてアイスケイブパネル１０のプリントされた側（内側）、又は機械ハウジング（図示せず）の部分へ典型的には両面接着テープ１６を用いて取付けられる。第２の、各保持クリップ１４の反対側の端は、パネル１０の透明な中央領域１１へ向けて延びている。
【０００７】
各クリップ１４の第２の端は、実質的にＶ字型の部分１７を備える。画像基板のタブ部材１５はＶ字型の部分１７とアイスケイブパネル１０の間に置かれ、そしてＶ字型の部分１７はタブ部材１５を所定の位置の中へクランプするために作用する。これは、画像基板をアイスケイブパネル１０の透明な中央領域１１に関して所定の位置に配置しそして保持する。
【０００８】
システムには多くの問題がある。クランプ力の量は両面接着テープ間の接着強さに制限される。テープが古くなると、力の強さは典型的に弱まり、そしてこれは画像基板が所定の位置外へ動くのを許す。この動きは、見えない画像をもたらし、又は最悪の場合、しわになったり若しくは波打った外観を有する画像となし得る。
【０００９】
画像基板は自動販売機の中に表示される画像を変更するために定期的変更されるので、他の問題が発生する。画像基板が交換される時、交換画像を固定する技術者は、クリップが容易にはずれたり又は破損されるので極めて慎重でなければならない。
【発明の開示】
【００１０】
本発明は画像保持システムに向けられており、少なくとも部分的に上述された短所の少なくとも１つを克服するか、又は顧客に有益な又は商業的な選択を提供する。
【００１１】
１つの形態において本発明は、中央の透明な部分を備えたアイスケイブパネルと画像基板とを含むアイスケイブ画像システムのための画像保持システムに存し、該画像保持システムは、
ｉ．中央の透明な部分の周りに間隔を置いて配置された複数の保持部分を含み、各保持部分は磁性を有し、そしてアイスケイブパネルの中央の透明な部分に関して保持部分を取付けるための取付部分を備えており、そして
ｉｉ．磁性を有するクランプ部材を含んでおり、各保持部分はアイスケイブパネルの中央の透明な部分に関して画像基板を配置し、そして画像基板は保持部分とクランプ部材との間の所定の位置にクランプされることを特徴とする前記画像保持システムである。
【００１２】
上述したように、画像保持システムは、特にアイスケイブ画像表示システムに使用されるために適している。さらなる形態によれば、本発明は、外部の不透明な部分及び中央の透明な部分を備えたアイスケイブパネルと、アイスケイブパネルに隣接して保持されるのに適した交換可能な画像がプリントされた基板と、そして画像保持システムを含むアイスケイブ画像システムに存し、画像保持システムは、各保持部分が磁性を有しており、中央の透明な部分の周りに間隔を置いて配置された複数の保持部分と、そしてアイスケイブ部分の中央の透明な部分に関して保持部分を取付けるための取付け部分と、磁性を有するクランプ部材を含んでおり、ここで各保持部分はアイスケイブパネルの中央の透明な部分に関して画像基板を配置し、そして画像基板は保持部分とクランプ部材の間の所定の位置の中にクランプされることを特徴とする前記アイスケイブ画像システムからなる。
【００１３】
アイスケイブ画像表示システムは、自動販売機の中に表示する画像において特別な応用を見い出す。本発明の画像保持システムは、長期間および必要な時、容易な交換のためのしっかりとした配置を提供するのみならず、アイスケイブパネルに関して画像基板の積極的配置を提供する。
【００１４】
この画像保持システムは、アイスケイブパネルの中央の透明な部分の周りに間隔を置いて配置された複数の保持部分を含む。保持部分は、アイスケイブパネルの上へ直接装着されてもよいし、又はアイスケイブパネルから離れて装着されてもよい。保持部分の装着は、アイスケイブパネルが使用されるハウジングへ保持部分を取付けることにより達成することができる。
【００１５】
好ましくは、それぞれの保持部分は磁性を有する。特に、保持部分のそれぞれは、磁性を与えるために金属から製作することができる。典型的には、保持部分は単一部品として成形されてもよい。
【００１６】
保持部分は、ベース部分および直立配置部分を備えたＬ字型の外観を呈するように折り曲げ、プレス又は他の方法で成形された非常に単純な平面シート部材又は金属の平面シートでよい。典型的には、ベース部分は、実質的に直立配置部分より大きくてよい。代りとしては、保持部分のベース部分は磁性を有することができ、そして直立配置部分は磁性的に中性であってよい。
【００１７】
保持部分は、配置部分を含んでいてもよい。配置部分は、典型的にはＬ字型部分の直立部分である。配置部分は、画像基板の縁に当接することにより画像基板を積極的に配置することができる。併せて、それぞれの保持部分の配置部分は、挿入および交換の間、中へ画像基板が配置される開口を備える。
【００１８】
保持部分の配置部分は、それが画像基板の少なくとも１つの縁と当接するのに適応している限りどのような形状や大きさを有していてもよい。
【００１９】
各保持部材は、アイスケイブ部分の中央の透明な部分に関して保持部分を取付けるための取付け部分を含む。取付け部分はベース部分のように非常に単純であってもよく、又は表示される画像が背後から照らされた時、見られないように保持部分がアイスケイブパネルへ離れて装着されるのを許容するように改良されていてもよい。
【００２０】
典型的には、取付け部分はＬ字型の保持部分のベース部分又は保持部材の一部であろう。ベース部分は金属又は類似のものから作られることができ、そして使用されるべき保持部分の数および保持されるべき画像基板の形状又は重量により計算された大きさのものであってもよい。ベース部分は、アイスケイブパネルに関し保持手段をしっかりと固定するための接着手段のような固定手段が備え付けられていてもよい。典型的には、接着手段は両面接着テープであってよく、そしてそれは保持手段をアイスケイブパネルの裏面へ直接取付けるために使用されることができる。
【００２１】
また、画像保持システムは磁性を有するクランプ部材を含んでもよく、そして好ましくは、クランプ部材は各保持部材へ設けられるであろう。併せて、クランプ部材および保持部材は、その間で画像基板の縁がクランプされることができる対として提供されるであろう。典型的には、画像基板は、より簡単にクランプされるために画像基板の縁から延びている複数のタブ延長部材を備えてもよい。
【００２２】
好ましくは、クランプ部材は磁石であってよい。典型的には小さいが、しかし、それらはネオジウム又はその合金から作られているような強力な磁石が使用されるであろう。磁石はどのような形状又は形態を有していてもよいが、しかし典型的には、提供される磁石は、保持部材のベース部分と比較された時、これが画像基板へ適用され得るクランプを増加できるようにできるだけ大きい実質的に平坦な面を有するであろう。
【００２３】
クランプ部材は、画像基板の取り換えの手順の一部として取り除かれる時、クランプ部材が失われないようにそれが一対にされて、典型的には保持部材へ取付けられるであろう。通常、クランプ部材はひも又はケーブルのような柔軟性のある部材を使用して、保持部分の直立部分の中に形成された開口へ取付けられることができる。
【００２４】
各保持部分の直立部分は、好ましくはアイスケイブパネルの中央の透明な部分に関して画像基板を配置し、そしてその時、画像基板は保持部分の金属部分と磁石との間で磁力を使用して、保持部分とクランプ部材の間の所定の位置の中でクランプされる。複数の保持部分およびクランプ部分の使用は、画像基板の重量が保持部分の間で分担されるのを許容する。
【００２５】
図面を参照して、本発明の様々な具体例が述べられるであろう。
【発明を実施するための最良の形態】
【００２６】
本発明の好ましい具体例によれば、画像保持システムが提供される。
【００２７】
図３に示される好ましい具体例による画像保持システムは、外側の不透明な部分１１および中央の透明な部分１２を備えたアイスケイブパネル１０と、および一般に図１に示されたアイスケイブパネル１０に近接して保持されるように適応された交換可能な画像プリント基板１３を含むアイスケイブ画像システムにおいて使用されるであろう。
【００２８】
画像保持システムは、アイスケイブパネル１０の中央の透明な部分１２の周りに間隔を置いて配置された複数の保持部分２１を含む。それぞれの保持部分２１は磁性を有し、そして保持部分２１をアイスケイブパネルの中央の透明な部分に関して取付けるための部分１９およびベース取付け部分２０を備える。
【００２９】
また、画像保持システムは、磁石クランプ部材２２を含む。各保持部分２１の直立部分１９は、アイスケイブパネル１１の中央の透明な部分１２に関して画像基板１３を積極的に配置し、そして画像基板１３は保持部分２１と磁石のクランプ部材２２との間にクランプされる。
【００３０】
保持部分２１はアイスケイブパネル１０の上に直接装着されるが、しかし、アイスケイブパネルから離れて装着されてもよい。
【００３１】
各保持部分２１は磁性を有する。特に、保持部分２１のそれぞれは、磁性を提供するための材料から製作されている。保持部分２１は、平面のシート材料からベース取付け部分２０および直立部分１９を備えているＬ字型の形態に成形されている。ベース部分２０は直立部分より実質的に大きい。
【００３２】
直立部分１９は画像基板１３の縁を当接することより、画像基板１３を積極的に配置する。併せて、それぞれの保持部分２１の配置部分１９は、取付けの間、中へ画像基板１３が置かれる開口（図示せず）を備える。
【００３３】
各保持部分２１は、アイスケイブパネル１０の中央の透明な部分に関し保持部分２１を取付けるための取付け部分２０を含む。
【００３４】
取付け部分は、Ｌ字型の保持部分２１のベース部分２０である。ベース部分２０には、保持手段２１を直接にアイスケイブパネル１０の背面へしっかりと固定するために両面接着テープ２３のような固定手段が備え付けられる。
【００３５】
また、画像保持システムは磁石のクランプ部材２２を含み、そして磁石のクランプ部材２２にはそれぞれの保持部材２１が提供されるであろう。併せて、磁石のクランプ部材２２および保持部分２１は、その間に画像基板１３の縁がクランプされる対として提供されるであろう。典型的には、画像基板１３は、より簡単にクランプされるために画像基板１３の縁から延びた複数のタブ延長部材１５が備えられるであろう。
【００３６】
典型的には、各磁石のクランプ部材２２は小さいが、しかし、それらはネオジウム又はその合金製のような強力な磁石である。磁石のクランプ部材２２はどのような形状又は形態を有していてもよいが、しかし典型的には、提供されるクランプ部材２２は、保持部材２１のベース部分２０と比較された時、これが画像基板１３へ適用できるクランプ力を増加するようにできるだけ大きい実質的に平坦な面を有する。
【００３７】
磁石クランプ部材２２は、画像基板１３の取り換え手順の一部として取り除かれる時、磁石のクランプ部材２２が失われないようにそれが対にされた保持部材２１へ取付けられる。通常、磁石のクランプ部材２２は、ひも（図示せず）のような柔軟性のある部材を使用して、保持部分２１の直立部分１９の中に形成される開口２４へ取付けられる。
【００３８】
各保持部分２１の直立部分１９は画像基板１３をアイスケイブパネル１０の中央の透明な部分１２に関して配置し、そしてその時、画像基板１３は保持部分２１の金属部分と磁石のクランプ部材２２との間の磁力を使用して、保持部分２１と磁石のクランプ部材２２の間の所定の位置にクランプされる。複数の保持部分２１および磁石のクランプ部材２２の使用は、画像基板１３の重量が保持部分２１間で分担されるのを許容する。
【００３９】
この明細書を通して“一の具体例”又は“ある具体例”の参照は、特別な特徴、構成、又は具体例に関連して述べられた特徴が本発明の少なくとも一の具体例の中に含まれていることを意味する。従って、この明細書を通じて様々な箇所にある“一の具体例において”又は“ある具体例において”なる用語の表現は、必ずしも同じ具体例について全てを言及するものではない。さらに、特別な特徴、構成、又は特徴は、１又はそれ以上のどのような適当な結合方法で組み合わされてもよい。
【００４０】
本発明は構造の又は方法の特徴の大体の詳細が言葉で述べられてきた。ここで述べられた手段は本発明を実施する好ましい形態からなるので、本発明が図示又は述べられた特別な特徴に限定されないことは理解されるべきである。従って、本発明は、本技術分野における当業者により適切に解釈される追加される特定の請求の範囲内において、いかなる形態又は改良が請求されている。
【図面の簡単な説明】
【００４１】
【図１】図１は、慣用のアイスケイブ画像表示システムの概略的な斜視図である。
【図２】図２は、アイスケイブ画像表示システムの中に画像基板を配置及び保持するための、慣用の画像保持システムの斜視図である。
【図３】図３は、本発明の好ましい具体例の斜視図である。
【図１】
2007530179.tif 000003
【図２】
2007530179.tif 000004
【図３】
2007530179.tif 000005
【国際調査報告】
2007530179.tif 000006
2007530179.tif 000007